(57)【要約】【課題】  工具チャックに対して姿勢が安定するチャックハンドルを実現する。【解決手段】  チャックハンドルは、ハンドル軸と、前記ハンドル軸の先端に設けられたギヤと、前記ハンドル軸を回転可能に支持するフレームと、フレームに形成された係止ピンを備えている。このチャックハンドルでは、係止ピンが工具チャックのハンドル穴に挿入され、フレームが工具チャックの本体側面に当接し、ギヤが工具チャックの締付スリーブに係合する。このとき、フレームが工具チャックの本体側面に当接する範囲の少なくとも一部は、係止ピンがハンドル穴に挿入される位置に対して、締付スリーブの回転方向に関して後方側へ１８０度未満の角度範囲内に位置する。【選択図】図６
2009226531.tif 000002
【特許請求の範囲】
【請求項１】
工具チャック用のチャックハンドルであり、
ハンドル軸と、
前記ハンドル軸の先端に設けられたギヤと、
前記ハンドル軸を回転可能に支持するフレームと、
フレームに形成された係止ピンを備え、
前記係止ピンが工具チャックの本体側面に形成されたハンドル穴に挿入され、前記フレームが工具チャックの本体側面に当接し、前記ギヤが工具チャックの締付スリーブに形成されたギヤ部に係合し、
前記フレームが工具チャックの本体側面に当接する範囲の少なくとも一部は、前記係止ピンがハンドル穴に挿入される位置に対して、締付スリーブを回転させる方向に関して後方側へ１８０度未満の角度範囲内に位置することを特徴とするチャックハンドル。
【請求項２】
前記フレームが工具チャックの本体側面に当接する範囲の少なくとも一部は、前記係止ピンがハンドル穴に挿入される位置に対して、締付スリーブを回転させる方向に関して後方側へ９０度以上１８０未満の角度範囲内に位置することを特徴とする請求項１に記載のチャックハンドル。
【請求項３】
前記ギヤが締付スリーブのギヤ部に係合する位置は、前記フレームが工具チャックの本体側面に当接する範囲よりも、前記係止ピンがハンドル穴に挿入される位置に対して、離れた位置となることを特徴とする請求項２に記載のチャックハンドル。
【請求項４】
前記ギヤが締付スリーブのギヤ部に係合する位置は、前記係止ピンがハンドル穴に挿入される位置に対して、締付スリーブを回転させる方向に関して後方側へ１８０度離れた位置となることを特徴とする請求項３に記載のチャックハンドル。
【請求項５】
前記フレームの工具チャックの本体側面に当接する当接面は、工具チャックの本体側面に沿って湾曲する円弧面であることを特徴とする請求項１から４のいずれか一項に記載のチャックハンドル。
【発明の詳細な説明】
【技術分野】
【０００１】
本発明は、工具チャック用のチャックハンドルに関する。
【背景技術】
【０００２】
ドリル等の回転工具を固定する工具チャックが知られている。工具チャックは、様々な種類のものが開発されている。そのなかで、チャックハンドルを用いて操作される工具チャックが多く利用されている。この種の工具チャックは、回転工具が挿入される本体と、本体に回転可能に設けられた締付スリーブと、締付スリーブの回転に伴って本体内で径方向に移動する複数のツメを供えている。本体側面には、チャックハンドルが挿入されるハンドル穴が形成されており、締付スリーブにはチャックハンドルに係合するギヤ部が形成されている。
特許文献１に、チャックハンドルが開示されている。特許文献１に開示されたチャックハンドルは、ハンドル軸と、ハンドル軸に設けられたギヤを備えている。ハンドル軸の先端には支持ピンが形成されている。この種のチャックハンドルでは、利用者が、ハンドル軸先端の支持ピンをハンドル穴に挿入し、ハンドル軸に設けられたギヤが締付スリーブのギヤ部に係合させ、ハンドル軸を回転させることによって締付スリーブを回転させる。締付スリーブを一方方向に回転させると、工具チャックを締め付けることができ、締付スリーブを他方方向に回転させると、工具チャックを緩めることができる。
【０００３】
【特許文献１】実開平７−１７４０４号公報
【発明の開示】
【発明が解決しようとする課題】
【０００４】
従来のチャックハンドルは、工具チャックを締め付けたり緩めたりするときに、工具チャックの姿勢が不安定となりやすい。そのことから、従来のチャックハンドルでは、工具チャックを強く締め付けたり、強く締め付けられた工具チャックを緩めたりすることが、非常にやりづらい。
本発明は、上記の問題を解決する。本発明は、工具チャックに対して姿勢が安定し、工具チャックを操作しやすいチャックハンドルを実現する。
【課題を解決するための手段】
【０００５】
本発明によって具現化される工具チャック用のチャックハンドルは、ハンドル軸と、前記ハンドル軸の先端に設けられたギヤと、前記ハンドル軸を回転可能に支持するフレームと、フレームに形成された係止ピンを備えている。
このチャックハンドルは、工具チャックに取り付けた際に、前記係止ピンが工具チャックの本体側面に形成されたハンドル穴に挿入され、前記フレームが工具チャックの本体側面に当接し、前記ギヤが工具チャックの締付スリーブに形成されたギヤ部に係合する。このとき、前記フレームが工具チャックの本体側面に当接する範囲の少なくとも一部は、前記係止ピンがハンドル穴に挿入された位置に対して、締付スリーブを回転させる方向に関して後方側へ１８０度未満の角度範囲内に位置することを特徴とする。
【０００６】
ハンドル軸によって締付スリーブを回転させると、チャックハンドルは締付スリーブから反力を受ける。反力を受けたチャックハンドルには、係止ピンがハンドル穴に挿入された位置を中心に、回転トルクが作用する。従来のチャックハンドルでは、この回転トルクによって、チャックハンドルの姿勢が不安定となってしまう。
一方、本発明に係るチャックハンドルでは、フレームが工具チャックの本体側面に当接する。そして、その当接範囲の少なくとも一部は、係止ピンの挿入位置に対して、締付スリーブの回転方向に関して後方側へ１８０度未満の角度範囲内（半周範囲内）に位置する。この場合、チャックハンドルに上記した回転トルクが作用すると、フレームが工具チャックの本体側面に強く押し付けられ、チャックハンドルが工具チャックに固定される。
本発明に係るチャックハンドルによると、工具チャックを強く締め付けるときほど、チャックハンドル１０が工具チャック６０にしっかりと固定される。工具チャックを強く締め付ける場合や、強く締め付けられた工具チャックを緩めたりする場合でも、チャックハンドルの姿勢が不安定となりにくい。
【０００７】
上記したチャックハンドルにおいて、前記フレームが工具チャックの本体側面に当接する範囲の少なくとも一部は、前記係止ピンがハンドル穴に挿入される位置に対して、締付スリーブを回転させる方向に関して後方側へ９０度以上１８０未満の角度範囲内に位置することが好ましい。
この構成によると、チャックハンドルが反力に起因する回転トルクを受けた際に、フレームが工具チャックの本体側面により強く押し付けられるとともに、係止ピンがハンドル穴から外れにくくなる。
【０００８】
上記したチャックハンドルにおいて、前記ギヤが締付スリーブのギヤ部に係合する位置は、前記フレームが工具チャックの本体側面に当接する範囲よりも、前記係止ピンがハンドル穴に挿入される位置に対して、離れて位置することが好ましい。
係止ピンがハンドル穴に挿入される位置と、ギヤが締付スリーブのギヤ部に係合する位置との距離が離れているほど、締付スリーブからの反力に起因してチャックハンドルに作用する前記の回転トルクは強くなる。この場合、フレームが工具チャックの本体側面により強く押し付けら、チャックハンドルの姿勢がより安定する。
【０００９】
従って、ギヤが締付スリーブのギヤ部に係合する位置が、係止ピンがハンドル穴に挿入される位置に対して、締付スリーブを回転させる方向に関して後方側へ１８０度離れた位置であると、両者は最も離れた位置関係となることから、チャックハンドルの姿勢をしっかりと安定させることが可能となる。
【００１０】
前記フレームの工具チャックの本体側面に当接する当接面は、工具チャックの本体側面に沿って湾曲する円弧面であることが好ましい。
この場合、フレームの当接面が工具チャックの本体側面にしっかりと押し付けられ、チャックハンドルの姿勢がより安定することになる。
【発明の効果】
【００１１】
本発明のチャックハンドルによると、工具チャックを強く締め付けたり、強く締め付けられた工具チャックを緩めたりする場合でも、工具チャックに対する姿勢が安定することから、工具チャックの操作を容易に行うことができる。
【発明を実施するための最良の形態】
【００１２】
最初に、以下に説明する実施例の主要な特徴を列記する。
（形態１）  ハンドル軸は、その先端にギヤが設けられた主軸と、主軸の基端近傍に設けられたグリップを備えている。グリップは、主軸から径方向外側に向かって伸びている。
（形態２）  フレームには、チャック本体の側面に当接するためのコンタクト面が設けられている。コンタクト面は、チャック本体の側面に沿って湾曲しており、コンタクト面の一部は、係止ピンに対して工具チャックの周方向に９０度以上離れている。
（形態３）  フレームのコンタクト面は、ハンドル軸に設けられたギヤに対向する位置から当該ギヤに向かって、９０度以上の角度範囲に亘って円弧状に伸びている。
【実施例】
【００１３】
本発明を実施した実施例について図面を参照しながら説明する。図１は、実施例のチャックハンドル１０を示す正面図である。図２は、チャックハンドル１０を示す右側面図である。チャックハンドル１０は、可搬型の動力工具等の工具チャックを操作するためのものであり、工具チャックに着脱して用いるものである。
図１、図２に示すように、チャックハンドル１０は、ハンドル軸１２と、ベベルギヤ１８と、フレーム２０と、係止ピン２６を備えている。図２に示すように、チャックハンドル１０は、側方から観察したときに左右対称となる形状を有している。
ハンドル軸１２は、主軸１４と、主軸１４の基端（図中上端）に設けられたグリップ１４を備えている。グリップ１４は、ハンドル軸１２に対して略直交するように設けられている。ハンドル軸１２は、利用者がその基端側を把持し、回転操作できるように構成されている。図中の直線Ｈは、ハンドル軸１２の回転軸（即ち、主軸１４の中心軸）を示している。
【００１４】
ベベルギヤ１８は、ハンドル軸１２の先端（図中下端）に設けられている。ベベルギヤ１８は、ハンドル軸１２の主軸１４と同軸に設けられており、ハンドル軸１２の主軸１４に相対回転不能に固定されている。ベベルギヤ１８は、回転軸Ｈを中心軸としてハンドル軸１２と共に回転する。
【００１５】
フレーム２０は、主に、略Ｌ字状のメインフレーム２２と、略Ｃ字形状のコンタクトフレーム２４を備えている。メインフレーム２２の一端は、ハンドル軸１２の主軸１４を回転可能に支持している。メインフレーム２２の他端には、コンタクトフレーム２４が固定されている。コンタクトフレーム２４には、その内周側にコンタクト面２４ａが設けられている。コンタクト面２４ａは、円弧状に湾曲する円弧面（円筒面の一部）であり、その中心軸Ｇはベベルギヤ１８の回転軸Ｈの延長線上に位置している。コンタクト面２４ａの曲率半径は、後述する工具チャック６０のチャック本体６２（図３、図４、図５参照）の半径に合わせられており、チャック本体６２の側面６２ｂに沿って湾曲する形状となっている。コンタクト面２４ａは、ベベルギヤ１８に対向する位置（即ち、ハンドル軸１２の回転軸Ｈの延長線上）から、１４５度の角度範囲に亘って伸びている。
係止ピン２６は、コンタクト面２４ａに設けられており、コンタクト面２４ａの中心軸Ｇに向かって突出している。本実施例の係止ピン２６は、ベベルギヤ１８に対向する位置（即ち、ハンドル軸１２の回転軸Ｈの延長線上）に設けられており、ベベルギヤ１８に向かって突出している。
【００１６】
図３、図４、図５を参照して、チャックハンドル１０を工具チャック６０に取り付けた状態について説明する。図３は、チャックハンドル１０を工具チャック６０に取り付ける様子を示している。図４、図５は、工具チャック６０に取り付けたチャックハンドル１０の正面図、側面図をそれぞれ示している。なお、チャックハンドル１０は、工具チャック６０を締め付ける場合と、工具チャック６０を緩める場合とで、工具チャック６０への取付姿勢が互いに異なる。図３、図４、図５では、工具チャック６０を締め付ける場合の取付姿勢で、チャックハンドル１０が図示されている。
【００１７】
ここで、チャックハンドル１０の説明を行う前に、工具チャック６０の構成について簡単に説明しておく。図３、図４、図５に示すように、工具チャック６０は、従来のチャックハンドルでも操作可能な汎用の構造を有している。図３、図４、図５に示すように、工具チャック６０は、ドリル等の回転工具８０が挿入されるチャック本体６２と、チャック本体６２に回転可能に設けられた締付スリーブ６４と、締付スリーブ６４の回転に伴ってチャック本体６２内で径方向に移動する複数のツメ６６を備えている。チャック本体６２の側面６２ｂには、従来のチャックハンドルが挿入されるハンドル穴６２ａが形成されている。締付スリーブ６４には、従来のチャックハンドルに係合するギヤ部６４ａが形成されている。
【００１８】
図３に示すように、チャックハンドル１０を工具チャック６０に取付ける際には、先ず、係止ピン２６をハンドル穴６２ａに挿入する。次いで、係止ピン２６を支点にチャックハンドル１０を回転させ、フレーム２０のコンタクト面２４ａをチャック本体６２の側面６２ｂに当接させるとともに、ベベルギヤ１８を締付スリーブ６４のギヤ部６４ａに係合させる。それにより、チャックハンドル１０を、工具チャック６０に取り付けることができる。
【００１９】
図４、図５に示すように、工具チャック６０に取り付けたチャックハンドル１０は、係止ピン２６がハンドル穴６２ａに挿入され、フレーム２０のコンタクト面２４ａがチャック本体６２の側面６２ｂに当接し、ベベルギヤ１８が締付スリーブ６４のギヤ部６４ａに係合する。ここで、係止ピン２６がハンドル穴６２ａに挿入される位置と、コンタクト面２４ａがチャック本体６２の側面６２ｂに当接する範囲の一部と、ベベルギヤ１８が締付スリーブ６４のギヤ部６４ａに係合する位置は、工具チャック６０の周方向に関して互いに異なる位置となっている。
【００２０】
図６に示すように、チャックハンドル１０を工具チャック６０に取付けた状態で、ハンドル軸１２をＡ方向に回転させると、締付スリーブ６４がＢ方向に回転して、工具チャック６０が締め付けられる。このとき、チャックハンドル１０のベベルギヤ１８は、締付スリーブ６４からＣ方向に反力を受ける。ベベルギヤ１８がＣ方向に反力を受けると、チャックハンドル１０に係止ピン２６を中心とする回転トルクが作用する。この回転トルクにより、フレーム２０のコンタクト面２４ａは、チャック本体６２の側面６２ｂに対してＤ方向に押し付けられる。その結果、チャックハンドル１０は、チャック本体６２に強く固定されることになる。即ち、チャックハンドル１０では、係止ピン２６とコンタクト面２４ａがカギスパナと同様の機能を発揮し、ベベルギヤ１８が受けた反力によってチャックハンドル１０が工具チャック６０に固定されるようになっている。
【００２１】
特に、本実施例のチャックハンドル１０では、フレーム２０に形成されたコンタクト面２４ａが、係止ピン２６の位置から略１４５度の角度範囲で伸びている。そのことから、コンタクト面２４ａがチャック本体６２の側面６２ｂに当接する範囲の一部は、係止ピン２６がハンドル穴６２ａに挿入された位置に対して、締付スリーブ６４を回転させる方向（Ｂ方向）に関して後方側へ９０度以上１８０度未満の角度範囲に位置することになる。この場合、チャックハンドル１０に作用する回転トルクに対して、フレーム２０のコンタクト面２６ａがチャック本体６２の側面６２ｂに強く押し付けられる押付力が大きくなり、チャックハンドル１０の姿勢がより安定する。
また、本実施例のチャックハンドル１０では、係止ピン２６とベベルギヤ１８が対向する位置に設けられている。そのことから、係止ピン２６がハンドル穴６２ａに挿入される位置に対して、ベベルギヤ１８が締付スリーブ６４のギヤ部６４ａに係合する位置は、締付スリーブ６４を回転させる方向（Ｂ方向）に関して後方側へ１８０度離れた位置となる。即ち、ベベルギヤ１８の係合位置と、係止ピン２６の挿入位置が、最も離れた位置関係となっている。この場合、チャックハンドル１０が締付スリーブ６４から受ける反力（矢印Ｂで示す力）に対して、チャックハンドル１０に作用する回転トルク（矢印Ｃで示す力）が大きくなる。その結果、フレーム２０のコンタクト面２６ａがチャック本体６２の側面６２ｂに強く押し付けられ、チャックハンドル１０の姿勢がしっかりと安定する。
【００２２】
次に、工具チャック６０を緩める場合について説明する。図７に示すように、工具チャック６０を緩める場合、チャックハンドル１０の姿勢を左右反対にして取り付ける。そして、ハンドル軸１２をＰ方向に回転させると、締付スリーブ６４がＱ方向に回転して、工具チャック６０が緩められる。このとき、チャックハンドル１０のベベルギヤ１８は、締付スリーブ６４からＲ方向に反力を受ける。ベベルギヤ１８がＲ方向に反力を受けると、チャックハンドル１０に係止ピン２６を中心とする回転トルクが作用する。この回転トルクにより、フレーム２０のコンタクト面２４ａは、チャック本体６２の側面６２ｂに対してＳ方向に強く押し付けられる。それにより、チャックハンドル１０は、チャック本体６２に強く固定される。
本実施例のチャックハンドル１０によると、強く締め付けられた工具チャック６０を緩めるときほど、チャックハンドル１０が工具チャック６０にしっかりと固定される。そのことから、強く締め付けられた工具チャック６０を緩める際にも、チャックハンドル１０の姿勢が不安定となることがない。
【００２３】
図６、図７を比較して明らかなように、工具チャック６０を締め付ける場合と、工具チャック６０を緩める場合では、チャックハンドル１０の取付姿勢が左右反対となっている。即ち、工具チャック６０を締め付ける場合（図６）は、係止ピン２６に対してコンタクト面２４ａを反時計回りの方向に位置させ、工具チャック６０を緩める場合（図７）は、係止ピン２６に対してコンタクト面２４ａを時計回りの方向に位置させる。このコンタクト面２４ａを位置させるべき方向は、締付スリーブ６４を回転させる方向Ｂ、Ｑに関係している。詳しく言えば、工具チャック６０を締め付ける場合は、工具チャック６０を時計回りに回転させるので、コンタクト面２４ａを反時計回りの方向に位置させる。一方、工具チャック６０を緩める場合には、工具チャック６０を反時計回りに回転させるので、コンタクト面２４ａを時計回りの方向に位置させる。即ち、いずれの操作を行う場合にも、係止ピン２６がハンドル穴６２ａに挿入された位置に対して、コンタクト面２４ａがチャック本体６２の側面６２ｂに当接する範囲が、締付スリーブ６４を回転させる方向Ｂ、Ｑに対して後方側へ１８０度の角度範囲内（半周範囲内）に位置させることになる。
【００２４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２５】
【図１】チャックハンドルを示す正面図。
【図２】チャックハンドルを示す右側面図。
【図３】工具チャックに取り付けたチャックハンドルを示す正面図（締め付け時）。
【図４】工具チャックに取り付けたチャックハンドルを示す右側面図（締め付け時）。
【図５】チャックハンドルを工具チャックに取付ける様子を示す図（締め付け時）。
【図６】チャックハンドルに作用する力を示す図（締め付け時）。
【図７】工具チャックに取り付けたチャックハンドルを示す正面図（緩め時）。
【符号の説明】
【００２６】
１０：チャックハンドル
１２：ハンドル軸
１４：グリップ
１８：ベベルギヤ
２０：フレーム
２２：メインフレーム
２４：コンタクトフレーム
２４ａ：コンタクト面
２６：係止ピン
６０：工具チャック
６２：チャック本体
６２ａ：ハンドル穴
６２ｂ：チャック本体の側面
６４：締付スリーブ
６４ａ：ギヤ部
６６：ツメ
８０：回転工具
【図１】
2009226531.tif 000003
【図２】
2009226531.tif 000004
【図３】
2009226531.tif 000005
【図４】
2009226531.tif 000006
【図５】
2009226531.tif 000007
【図６】
2009226531.tif 000008
【図７】
2009226531.tif 000009